(57)【要約】【課題】画像取り込み及び映写、特に、フィルム使用の効率及びデジタルフィルムシミュレーションにおける品質の改良を提供する。【解決手段】一実施形態では、フィルムカメラ取り込みを伴う利用可能媒体内の画像情報記憶容量を増大するためのシステムが提供される。一実施形態では、システムは、少なくとも２つの表面を有する写真エマルジョン担持媒体のストリップを含み、少なくとも２つの表面のうちの２つには、エマルジョンが備えられる。レンズを有するカメラが提供され、カメラは、写真エマルジョン担持媒体の２つの表面上にレンズで集めた画像の態様を露出し、更に、少なくとも光が集められてレンズ画像中継装置によって中継される。写真エマルジョン担持媒体を処理するために、プロセッサが更に提供され、撮像装置が、写真エマルジョン担持媒体から画像情報を表す電子画像データを供給するために含まれる。【選択図】図１
2008547321.tif 000002
【特許請求の範囲】
【請求項１】
フィルムカメラ取り込みを伴う利用可能媒体内の画像情報記憶容量を増大するためのシステムであって、
少なくとも２つの表面を有し、そのうちの２つにエマルジョンが設けられた写真エマルジョン担持媒体のストリップと、
レンズを有し、前記エマルジョン担持記録媒体の少なくとも２つの表面上にレンズ収集画像の態様を露光し、更に、少なくとも光が集められて該レンズによって中継されるカメラと、
前記レンズによって集められた前記光の少なくとも一部が、１つ又はそれよりも多くの画像取り込み装置に中継されるレンズ画像中継装置と、
前記２つの表面上にエマルジョンを担持する前記フィルムストックを処理するためのフィルムプロセッサと、
前記処理されたエマルジョン担持記録媒体から電子画像データを供給するための撮像装置と、
を含むことを特徴とするシステム。
【請求項２】
前記エマルジョン担持記録媒体は、セルロイドを含むことを特徴とする請求項１に記載のシステム。
【請求項３】
前記撮像装置は、スキャナであることを特徴とする請求項１に記載のシステム。
【請求項４】
前記カメラは、各々が前記レンズ画像の方向転換した態様を受け取る該カメラ内の複数のフィルムゲートの機能として前記エマルジョン担持記録媒体の前記２つの表面を記録することを特徴とする請求項１に記載のシステム。
【請求項５】
前記カメラは、前記フィルムストックの第１の完全な表面、及びその後に該フィルムストックの第２の完全な表面を順に露光するように作動可能であることを特徴とする請求項１に記載のシステム。
【請求項６】
前記カメラは、第１の表面上に露出されたエマルジョンの少なくとも１つのフレームを露光し、その後に該第１の表面の付加的な露光の前に第２の表面上に露出されたエマルジョンの少なくともフレームを露光することを特徴とする請求項１に記載のシステム。
【請求項７】
前記カメラは、前記フィルムストックの両面を同時に露光することを特徴とする請求項１に記載のシステム。
【請求項８】
前記カメラは、前記フィルムストックをマガジン格納容器から搬送し、
前記ストックは、部分的に前記フィルムゲートの機能として選択可能な量のエマルジョンの水平露出のために再配置される、
ことを特徴とする請求項１に記載のシステム。
【請求項９】
前記フィルムゲートの各々は、最初に中継された時の前記レンズ収集画像の経路に対してオフセットされることを特徴とする請求項８に記載のシステム。
【請求項１０】
前記マガジン格納容器は、前記フィルムストックを前記レンズに対して最初に垂直に前記カメラに供給することを特徴とする請求項８に記載のシステム。
【請求項１１】
前記マガジン格納容器は、カメラ全体に対して前記レンズの上方に位置決めされることを特徴とする請求項８に記載のシステム。
【請求項１２】
前記マガジン格納容器は、前記フィルムストックを前記カメラに水平に供給することを特徴とする請求項８に記載のシステム。
【請求項１３】
前記マガジン格納容器は、前記フィルムストックの一部分を露光のために前記カメラに供給し、
前記フィルムストックの前記部分は、露光に続いて前記マガジン格納容器に戻される、
ことを特徴とする請求項８に記載のシステム。
【請求項１４】
前記カメラは、前記エマルジョン担持媒体を搬送して露光するために少なくとも該カメラの前記フィルム取り込み態様が行われている間に電子取り込みのための前記レンズ画像の態様を供給することを特徴とする請求項１に記載のシステム。
【請求項１５】
前記電子取り込みは、少なくとも１つのフィルムゲート内で発生する前記少なくとも１つのフィルム取り込みと選択的に異なるフレーム率で発生することを特徴とする請求項１４に記載のシステム。
【請求項１６】
選択的に前記フィルムストックの前記２つの表面には、選択的に異なるフレーム率で前記エマルジョン内に記録するための画像が設けられることを特徴とする請求項１に記載のシステム。
【請求項１７】
前記フィルムストックゲートは、少なくとも部分的には、ユーザによって選択可能な可変露出区域を含む前記レンズ画像の態様に対する露出のために前記フィルムストックを位置決めするように機能することを特徴とする請求項４に記載のシステム。
【請求項１８】
前記ユーザには、更に、少なくとも露出されたエマルジョンの量又は前記露出区域の比率に対して、かつ少なくとも部分的に前記フィルムゲートのうちの少なくとも１つの機能として、前記レンズ画像から導出された画像の態様を可変サイズの画像として露出するオプションが提供されることを特徴とする請求項１７に記載のシステム。
【請求項１９】
前記ゲートは、部分的には、選択可能な複数の他の画像に影響を与えるのに用いられるキーフレーム画像を記録するために前記フィルムストックを位置決めするように機能し、
前記他の画像は、電子取り込みに関連する画像を含む、
ことを特徴とする請求項４に記載のシステム。
【請求項２０】
前記電子取り込みの最終選択可能フレーム率は、毎秒２４フレームのものを含み、前記キーフレーム画像に関連する画像情報によって影響を受けた最終画像も、毎秒２４フレームのものを含むフレーム率で供給されることを特徴とする請求項１９に記載のシステム。
【請求項２１】
前記フィルムストックの前記２つの表面の前記少なくとも１つは、光学的又は電子的手段によることを含み独立に変更された前記レンズ収集画像の態様を受け取ることを特徴とする請求項１に記載のシステム。
【請求項２２】
前記フィルムストックの前記２つの表面の前記少なくとも１つは、光学的に組み付けされたものを含む別々の焦点組み付けによって影響を受けた前記レンズ収集画像の態様を受け取ることを特徴とする請求項２１に記載のシステム。
【請求項２３】
拡大可能エマルジョン写真システムであって、
写真エマルジョンを有する拡大可能記録媒体と、
フィルムゲート、
少なくとも１つの光学要素、
記録媒体拡大装置、
フィルムプロセッサ、及び
記録可能媒体格納容器、
を含むフィルムカメラと、
を含み、
前記拡大装置は、前記拡大可能媒体を管理するように作動可能であり、
更に、前記拡大装置は、選択的に最適量の前記エマルジョン内へ潜像を記憶するための初期取り込みレンズ画像を供給するために、前記拡大可能媒体を拡大して該エマルジョンを前記光学要素に対して位置決めするように作動可能である、
ことを特徴とするシステム。
【請求項２４】
前記拡大可能媒体は、前記エマルジョンの写真露光の前に拡大することを特徴とする請求項２３に記載のシステム。
【請求項２５】
前記拡大装置は、前記光学要素に対する前記拡大可能媒体の拡大形状を制限する凸面又は凹面半円制限要素を含むことを特徴とする請求項２３に記載のシステム。
【請求項２６】
前記拡大可能媒体は、前記エマルジョンの写真処理中に拡大することを特徴とする請求項２３に記載のシステム。
【請求項２７】
前記拡大可能媒体は、少なくとも、前記処理に続いて前記エマルジョンを通る投影又は電子走査のための光透過中に拡大することを特徴とする請求項２３に記載のシステム。
【請求項２８】
前記エマルジョンは、前記拡大可能媒体内又は媒体上に収容されることを特徴とする請求項２３に記載のシステム。
【発明の詳細な説明】
【技術分野】
【０００１】
関連出願への相互参照
本出願は、２００５年６月２１日出願の「セルロイド又は他の感光性支持材料の両側に画像を露出する方法、システム、及び装置」という名称の米国特許仮出願出願番号第６０／６９２、５０２号、２００５年６月２１日出願の「画像品質を改善するために拡大可能又は弾性写真フィルムを提供する方法、システム、及び装置」という名称の米国特許仮出願出願番号第６０／６９２、５０１号、２００５年６月２２日出願の「デジタルフィルムシミュレーションに用いるためのフィルムシースアセンブリシステム、方法、及び装置」という名称の米国特許仮出願出願番号第６０／６９３、０１１号、２００５年７月６日出願の「映像及び／又は視覚データ、及び映像内の物体及び／又は画像区域に関する特別な深度データを同時に取り込む方法、システム、及び装置」という名称の米国特許仮出願出願番号第６０／６９６、８２９号、２００５年７月２２日出願の「フィルム取り込みの品質を改善する方法、システム、及び装置」という名称の米国特許仮出願出願番号第６０／７０１、４２４号、２００５年７月２７日出願の「多次元表示のための映像を取り込みかつ映写するためのシステム、方法、及び装置」という名称の米国特許仮出願出願番号第６０／７０２、９１０号、２００５年８月２５日出願の「多次元表示のための映像を取り込みかつ映写するためのシステム、方法、及び装置（追加開示）」という名称の米国特許仮出願出願番号第６０／７１１、３４５号、２００５年８月２５日出願の「フィルム取り込みの品質を改善する方法、システム、及び装置」という名称の米国特許仮出願出願番号第６０／７１０、８６８号、２００５年８月２９日出願の「フィルム取り込みの品質及び効率を改善する方法、システム、及び装置」という名称の米国特許仮出願出願番号第６０／７１２、１８９号、２００５年１０月１６日出願の「デジタル画像取り込みの品質を改善する方法、システム、及び装置」という名称の米国特許仮出願出願番号第６０／７２７、５３８号、２００５年１０月３１日出願の「フィルムマガジン位置の変更なくフィルム取り込みの品質及び効率を改善する方法、システム、及び装置」という名称の米国特許仮出願出願番号第６０／７３２、３４７号、２００５年１１月２２日出願の「２重焦点」という名称の米国特許仮出願出願番号第６０／７３９、１４２号、２００５年１１月２５日出願の「媒体効率を拡大しながら解像度を高めるハイブリッドカメラ内の可変キーフレームフィルムゲート集合のためのシステム及び方法」という名称の米国特許仮出願出願番号第６０／７３９、８８１号、２００５年１２月１５日出願の「（デジタル）フィルム取り込みの品質及び効率を改善する方法、システム、及び装置」という名称の米国特許仮出願出願番号第６０／７５０、９１２号に基づき、かつそれらに対する優先権を請求するものであり、これらの内容全体は、本明細書において引用により組み込まれている。本出願は、更に、２００６年６月５日出願の「多次元撮像システム及び方法」という名称の米国特許出願出願番号第１１／４４７、４０６号、及び２００６年４月２０日出願の「フィルム又は他の撮像媒体を模擬するシステム及び方法」という名称の米国特許出願出願番号第１１／４０８、３８９号をその全体を参照により組み込んでおり、その両方の内容全体は、その全体において本明細書に示す通りである。
【０００２】
本発明は、画像取り込み及び映写に関し、より詳細には、フィルム使用の効率及びデジタルフィルムシミュレーションにおける品質の改良に関する。
【背景技術】
【０００３】
デジタル画像取り込み、記憶、及び投影の効率、データ処理機能、及び品質が増大する時に、フィルムは、身近な手法及び公知の製品によって採用される取り込み、記憶、及び映写手段によって制限され、かつ制限されてきた。
【０００４】
従来技術では、ＩＭＡＸなどのような３次元映写システムは、従来の２次元映写を超える高度な視覚的体験の錯覚をもたらすが、本発明は、新しい美的及び技術的範囲のオプションを提供する。しかし、映像は、映像を表示する映写システムが利用する２次元の異なるアスペクト又は表示比で取り込まれる。更に、本発明は、フィルム取り込みが、用いる最初のストックのフィート当たりのより多くの最終画像を提供する機会を与え、同時に、フィルム取り込みの結果として生じる画像当たりの相当に多くの情報の同時オプションをこの結果を達成するのに付加的なフィルムストック長さを必要とすることなく更に提供する。
【０００５】
好ましくは、両面エマルジョンへの手法が提供され、それによってカメラ内の光学器械が、焦点、露光又は取り込みレンズ位置などを変更されて、フィルムの両面エマルジョンのストリップ又は全長の両側に選択的に維持された取り込みレンズ画像の選択部分を中継することを可能にする。両面エマルジョン手法は、フィルムの２倍の画像記憶効率を可能にし、材料（例えば、フィルムストック）の増加を必要とすることなく画像取り込み（例えば、記録）機能を増大する。更に、両面エマルジョンは、コロイド又は他のエマルジョン担持又は組込材料のストリップ又は接合ストリップの両側に記録するために、焦点、露光が異なるか又は僅かに位置決めの異なる取り込みレンズ画像のような２次画像の取り込みを可能にする。更に、デジタル的に複数の最終画像に影響を与えるのに用いるためのフィルムストックの水平位置決め及び任意的にキーフレームとしてのフィルム取り込みの使用は、本発明が、全体のフィルムストック長さを増大することなくより多くの記録可能媒体を提供することを可能にするだけでなく、画像当たりのこのストックから得られる画像情報（品質及び解像度を含む）は、任意的に、周知のフィルムストックゲージサイズ（３５ｍｍ及び１６ｍｍのような）で取り込まれた従来の画像よりも飛躍的に増大する。
【０００６】
上記で特定された現在特許出願中の特許出願に説明されているように、取り込みレンズの画像のこのような変更バージョンはまた、カメラ内のオフセットフィルムゲート及び／又はオフセット画像配置区域によって従来の（例えば、カラーネガ）フィルムの片面に記録することができる。従来のフィルムのこのような記録は、当業技術で公知のように、撮影後用途におけるデジタル又は他の手段によるかつ様々な効果の使用中の従来のフィルムに記録されたような同じレンズ画像の異なるバージョンのその後の描写を考慮したものである。
【０００７】
【特許文献１】米国特許仮出願出願番号第６０／６９２、５０２号
【特許文献２】米国特許仮出願出願番号第６０／６９２、５０１号
【特許文献３】米国特許仮出願出願番号第６０／６９３、０１１号
【特許文献４】米国特許仮出願出願番号第６０／６９６、８２９号
【特許文献５】米国特許仮出願出願番号第６０／７０１、４２４号
【特許文献６】米国特許仮出願出願番号第６０／７０２、９１０号
【特許文献７】米国特許仮出願出願番号第６０／７１１、３４５号
【特許文献８】米国特許仮出願出願番号第６０／７１０、８６８号
【特許文献９】米国特許仮出願出願番号第６０／７１２、１８９号
【特許文献１０】米国特許仮出願出願番号第６０／７２７、５３８号
【特許文献１１】米国特許仮出願出願番号第６０／７３２、３４７号
【特許文献１２】米国特許仮出願出願番号第６０／７３９、１４２号
【特許文献１３】米国特許仮出願出願番号第６０／７３９、８８１号
【特許文献１４】米国特許仮出願出願番号第６０／７５０、９１２号
【特許文献１５】米国特許出願出願番号第１１／４４７、４０６号
【特許文献１６】米国特許出願出願番号第１１／４０８、３８９号
【発明の開示】
【０００８】
一実施形態では、本発明は、少なくとも２つの表面を有するフィルムストックのストリップを含むフィルムカメラ取り込みに利用可能な媒体を拡大するためのシステムを含み、少なくとも２つの表面のうちの２つには、エマルジョンが備えられる。システムは、レンズを有するカメラを更に含み、カメラは、フィルムストックの２つの表面上にレンズ画像を記録し、更に、カメラは、レンズに少なくとも光を集めることによってレンズ画像を記録する。更に、２つの表面上にエマルジョンを担持するフィルムストックを処理するためのフィルムプロセッサが設けられ、フィルムストックの両面を撮像するための撮像装置が設けられる。撮像装置は、少なくとも１つの画像がフィルムストックの初期ストリップに由来する時にフィルムストックの両面を撮像し、フィルム取り込みのための媒体は、少なくとも撮像装置、フィルムプロセッサ、及びフィルムストックのストリップに応じて拡大される。
【０００９】
別の実施形態では、本発明は、拡大可能エマルジョン写真システムを含む。システムは、写真エマルジョンを有する拡大可能媒体及びフィルムカメラを含む。フィルムカメラは、フィルムゲート、少なくとも１つの光学要素、拡大装置、フィルムプロセッサ、及びフィルム格納容器を含む。拡大装置は、拡大可能媒体を管理するように作動可能であり、拡大装置は、拡大可能媒体を拡大して、選択的最適量のエマルジョン内に潜像を記憶するための初期取り込みレンズ画像を供給するために光学要素に対してエマルジョンを位置決めするように作動可能である。
【００１０】
本発明の他の特徴及び利点は、添付図面を参照する本発明の以下の説明から明らかになるであろう。
【００１１】
本発明を例示する目的のために、現在好ましいとされる形態が図で示されるが、本発明は、図示の正確な配置及び手段に限定されないことは理解されるものとする。本発明の特徴及び利点は、添付図面を参照する本発明の以下の説明から明らかになるであろう。
【発明を実施するための最良の形態】
【００１２】
本発明は、好ましくは、従来技術で従来利用できないセルロイド又は他の感光性材料に画像を露出するための効率及び品質を改善する美的及び技術的オプション範囲を提供する。従来技術システムと異なって、一実施形態では、映像は、表示に用いられる映写システムが利用する時の比率が類似の形状のディスプレイ又はスクリーン（非平坦表示面）上に画像を現すように設計されるという条件で、類似の又は同じ３次元アスペクト又は表示比で取り込まれる。例えば、エマルジョン材料の気泡形状部分は、拡大可能エマルジョン露出システムによって露出され、フィルム媒体製品は、映像が表示されることになる映写システムのものに類似の曲率及び球面形状を備える。これは、２次元フィルム画像及びフィルムから映写した画像から記録及び映写するための視覚データの典型的な従来技術の光学的組み付け及び変換（例えば、歪み）の必要性を低減する。
【００１３】
本明細書で用いる場合、用語「記録」は、一般的に、写真エマルジョン内に取り込んだ潜像として最初に記憶された画像を含むことを意味する。
【００１４】
同様に本明細書で用いる場合、エマルジョン担持表面という用語は、一般的に、セルロイドのようなフィルムストック閉じ込め媒体を意味し、媒体の両側に発生する写真エマルジョンで２つの表面を被覆するオプションが存在する。
【００１５】
更に、本明細書で用いる場合、用語「撮像装置」は、一般的に、画像を取り込み、抽出及び／又はデジタル化することができるあらゆる装置を意味する。撮像装置の非限定的な例は、スキャナである。
【００１６】
更に、本明細書で用いる場合、「取り込みレンズ画像」は、一般的に、カメラレンズによって集められ、次の画像取り込みのために中継される映像を意味する。代替的に、「取り込みレンズ画像」は、カメラレンズによって集められ、次の画像取り込みのために中継される映像に関する光を意味する場合がある。
【００１７】
同様に本明細書で用いる場合、用語「乳化」は、一般的に、最初に露出されていないエマルジョンである写真エマルジョンで被覆されているか又はそれを含有する媒体を含むことを意味する。
【００１８】
好ましい実施形態では、光化学処理を通じて取り込まれるフィルム（例えば、乳化材料上）画像の品質の向上は、一般的に、フィルム及びテレビにおける多くの材料の記録中に採用される。好ましくは、本明細書に説明する方法及びシステムは、スチール写真品質も例えばフィルムのゲージサイズなどを補うために機器のサイズを変更する必要なく画像品質に関して大いに向上するので、モーション媒体に限定されない。
【００１９】
好ましい実施形態では、１６ミリメートル（ｍｍ）フィルムカメラ（当業技術で公知）は、画像の原点で、選択的に従来の３５ｍｍフィルムカメラ及びフィルム記録手段のそれに近いか、そこか、又はそこを超える品質の映像の取り込みに採用される。当業者には明らかなように、あらゆるゲージサイズ及びカメラは、本明細書の教示から利益を得るように利用することができる。更に、以下でより詳細に説明するように、あらゆる可変フィルム又は他の記憶媒体、カメラ、又は両方が本発明の特徴であり、本明細書で教示された利点のユーザに役立つように利用される。
【００２０】
好ましい実施形態では、フィルムカメラは、典型的な従来技術のフィルムカメラを高める光学器械及びフィルム管理を組み込んでいる。例えば、カメラ（及びフィルム）は、非露出フィルム（又は他の乳化材料）の各フレームが、取り込みレンズから関連の光に対する露出のためのフィルムゲート内へ移動する時に、イベント及び手法の新しいシーケンスを提供することによって品質及び効率を最大にする。
【００２１】
一実施形態では、露出前に、フィルムは、例えばグローブ形状であって露出のためのエマルジョンを有する側面に対して反対にあるフィルムの側面からフィルムと接触する装置に影響を与えるフィルム表面によるなどで拡大処理を受ける。装置は、一般的に、露出中に維持されるフィルム平面を超えて押し進むことができ、それによってエマルジョンを選択的に光学器械に向けて拡大する。別の実施形態では、第２の装置は、フィルム平面に対して反対方向にエマルジョンを拡大し、一般的に、従来技術のフィルムカメラで用いられるような２次元のフィルムではなく、３次元になるようにフィルム平面を拡大する。
【００２２】
カメラの光学器械及びレンズ画像を中継するために用いる光学器械は、一実施形態では、視覚データを有する球面である３次元に拡大されているエマルジョン区域を取り囲む装置を含む。代替的に、画像は、光学システム（例えば、レンズ又はミラーなど）の態様が露出処理中に移動する時に、新しい画像データをエマルジョン表面に露出するためのような移動光学器械のために球状エマルジョン表面に露出することができる。光学器械の変化は数多くあり、様々な実施形態では、拡大エマルジョンの球状又は半球状は、画像取り込み並びに中継光学器械及びシステムに対して凸面又は凹面とすることができる。従って、当業者には明らかなように、様々な実施形態が本明細書で想定されている。
【００２３】
選択的に、レンズ画像は、拡大エマルジョン又は他の光感受性材料又は記録媒体の最大利用可能表面積にわたるレンズ画像の適切な分散に対して歪みなどによって影響を受ける可能性がある。このような構成では、補正光学器械が後で採用され、可能な最終表示意図に合わせて望ましい表示、アスペクト比、２次元表示システム及び関連光学器械に記憶された（又は記録された）映像を再構成することができる。当業技術で公知のように、このような光学画像変換手法は、カメラレンズを通して完全な歪みが補正された場面取り込みと異なるアスペクト比で媒体上に適切な記録をするために組み込まれた最初の歪みを調整するように、最初に歪められてその後設計された光学器械によって「歪のない」映像を記録するアナモルフィックレンズシステムを含む。
【００２４】
好ましい実施形態では、装置は、酸素のような気体の圧縮された量を放出して、事前位置決めフィルムの表面を拡大又は他の方法で拡大する。空気は、フィルムにマークを付けるか又は損傷を与える可能性があり得るフィルムとの物理的接触がなく、好ましくは風船のようなフィルム表面の速い断続的「拡大」を可能にする。これは、風船が拡大するまで露呈される表面の言葉及び／又は画像を備えた風船に似ている。
【００２５】
コーティング又は弾性又は可変材料の態様としての拡大可能表面自体の実施形態とすることができる露出可能エマルジョンの意図する最大区域のサイズは、空気（又は、代替実施形態では他の貫通物体）が、エマルジョンがその上に最初に組み込まれるか又は被覆された時に受けた表面の拡大に対して幾分類似又は同一に表面を拡大するまで露呈されずかつ採用されない。「空気膨張」構成では、圧縮空気手段とフィルムゲート（又はフィルム表面）の間の選択的気密シールは、拡大可能フィルム、エマルジョン、又は他の光感受性支持材料の一貫した拡大を制御するために採用することができる。
【００２６】
カメラでは、露出のためのエマルジョンの理想的な形状の透明な表面は、画像連続性のために例えば各次の露出のための同一サイズ及び位置において拡大エマルジョン表面を含むことが関わっている可能性がある。
【００２７】
「フィルム」に適用されている圧縮空気の露出及び放出後に空気膨張拡大構成を用いる実施形態を続いて参照すると、エマルジョン表面は、それをフィルム媒体のより狭い範囲に慎重に収容し、又は１６ｍｍのようなゲージサイズを選択することができるそのより小さな収容サイズ内に選択的に後退し、退縮し、及び／又は収縮して戻ることになる。任意的に、拡大ストックを最初の非拡大サイズ及び構成と置換する２次的物理的影響手段を採用することができる。
【００２８】
次に、フィルムは、カメラの選択的固定又は取外し可能光学器械配置のために、エマルジョンに関連した及び／又は位置決めした光の次の露出のための３次元形状及びサイズに対する「拡大」のために位置決めされた次の拡大可能フレームと共にカメラによって進めることができる。
【００２９】
従来の２次元映写を超えて高度な視覚的体験の錯覚をもたらすＩＭＡＸ又は類似の手法のような（平坦でないスクリーン上に示される単一の２次元画像取り込みを含む）３次元映写手法では、本発明は、望ましい美的効果を達成するために、取り込んだ及び／又は表示した画像の光学的歪みにあまり又は全く依存しない新しい美的及び技術的範囲のオプションを提供することができる。すなわち、最終的な映写手段と同じ３次元アスペクト又は表示比とは言えないまでも、それに近い映像の取り込みを利用することになる。この拡大可能エマルジョン露出システム及びフィルム媒体製品によって露出されたエマルジョンの「気泡」は、映像を表示することになる最終的な画像のそれに対して、選択的に曲率及び球状を類似させることができ、２次元フィルム画像及びフィルムから映写した画像から記録しかつ映写するための視覚データの公知の極端な光学的組み付け及び再生（歪み）の必要性を低減する。
【００３０】
同様に、本特許出願の本発明者に対して現在特許出願中の特許出願に関して上述したように、（フィルムストックを含む）長さによる付加的媒体及び関連費用、又はストリップの両側又はコロイド又は他のエマルジョン担持（又は組込）材料の接合ストリップに記録するための２次画像（焦点、露出の異なる又は僅かに位置決めの異なる取り込みレンズ画像のような）を取り込む必要性を増大することなく、記録機能を増大させる両面エマルジョンが提供される。
【００３１】
好ましくは、セルロイド、プラスチック、又は他の拡大可能又は選択的弾性材料に関わらず、エマルジョン担持又は組込フィルムが提供される。更に、このような弾性タイプの「フィルム」は、各側面が選択的に拡大可能である状態で選択的に表面の両側に写真潜像を記録することができる。従って、「フィルム」の弾性は、通常フィルム平面又は拡大位置でない時の「フィルム」の通常平面に対して２つの方向に選択的に起こり得る。
【００３２】
更に、好ましくは光学的システムを通して選択的に３次元又は気泡様エマルジョン表面に中継された映像を記録することができるカメラが提供される。更に、装置は、選択可能にカメラ内の非拡大「フィルム」の両面に記録するために提供され、それによってカメラ内に複数のフィルム「ゲート」又は画像配置区域を含む。
【００３３】
更に、カメラは、乳化材料の各別々に露出した側面に対して、レンズ画像（又は他の取り込み映像）の変更バージョンを選択的に中継することができる。この特徴は、例えば、片面が露出されるか又は再配置されたフィルムが裏面を同様に露出することができるか否かに関わらず、通常フィルム平面に対して片面に記録するのに有用である。変更画像バージョンは、中継レンズ画像の様々な焦点優先度を有することができ、露出中に様々な露出時間又はｆ−ストップ（虹彩）設定を有することができ、又は複数のレンズが用いられる場合に写真を撮っている場面のオフセットレンズ取り込みを有することができる。互いに対して取り込み映像に選択的に組み付けされた相違を示す他の可能な組み付け変化が本明細書で想定されている。
【００３４】
フィルムストック上の映像及びこのような画像のオプションを水平記録することによって、より小さな機器及びゲージサイズフィルム、光化学又は他の記録媒体が提供され、従来技術では従来利用できない選択的２次効果及び／又は美的オプションに対して取り込みレンズ画像の同じか又は異なるバージョンを実施する映像を選択的に取り込むことを含む、高度品質映像を取り込むことになる。フィルムストック又は機器のサイズを増大することなく、映像の数の増大及びエマルジョン表面積の増大は、利用されるゲージサイズに関して公知の典型的な従来技術のカメラ及びフィルムストックに対して取り込みかつ記憶することができる。更に、追加オプションは、フィルムストック内に記録された画像が（品質及び解像度にも影響を与える）遥かに多くの画像情報の最終画像に影響を与える可能性がある情報を提供することができることを含むが、フィルム取り込みに由来する追加提供全体画像又は最終画像内の画像品質の向上の目標（個々に又は連携して）を達成する上で（動画フィルムストックのような）付加的媒体を依然として必要としない。
【００３５】
更に、全体に新しいフィルムストック製品は、本明細書の教示、並びにフィルムストックを露出し、管理し、かつ映写するために用いる機器によって提供される。フィルムストックの１つの側面に記録するか又は両側に記録するかに関わらず、たとえゲージサイズ及びフィルム構成が従来のフィルムストックとは異なっている可能性があっても、これは可能である。例えば、フィルム取り込み及び映写の典型的なスプロケット孔、公知のゲージサイズ、及び他の従来の態様は、本明細書に開示されるような新しいフィルム「フォーマット」及び撮像システム、それぞれの装置、並びに方法に選択的に関わらない場合がある。例えば、本発明の好ましい態様をデジタル化することになるフィルム画像は、スプロケットフィルム搬送を潜在的に不必要にし、他の電子的手段が、搬送及び画像位置合せの両方を選択可能に提供する。
【００３６】
更に、本明細書の教示は、レンズ画像に対して反対（凹面）方向の媒体の拡大を含む。更に、光学器械は、基本的に風船の「内側」から露出された（拡大風船の外側を露出するのではなく）最大エマルジョン区域を提供する。
【００３７】
二重乳化フィルムストック及び画像取り込みに対して、次の第２の「ゲート」は、画像情報を記録することができる選択的光感受性又は他の媒体とすることができるストック（同様にエマルジョンを担持する）の裏面を露出するために提供することができる。これは、結果として、交互又はオフセット的に、選択的に同時に又は露出している単一フィルムストリップの両側上に、同じか又は選択的に変更バージョンの単一レンズ（又は二重レンズ、オフセット３Ｄシナリオ）を生じる可能性がある。露出のための次のフレームに対するフィルムの断続的運動は、「フレーム」が選択的に両面構成における両面フィルムの各側面に露出された後に最も良く発生する可能性がある。
【００３８】
更に別の実施形態では、動画フィルムカメラが提供される。動画カメラは、好ましくは単一の初期取り込みレンズを通して映像を取り込む。カメラ内部では、レンズ画像は、選択的に方向転換され及び／又は分けられ（例えば、分割され）、初期レンズ画像の全て又は一部の２つの別々の中継を可能にすることができる。
【００３９】
一実施形態では、移動するように作動可能とすることができるミラーは、集束させるための付加的レンズ要素に対して、期間中に選択的に、詳細には、焦点調整が、取り込んだレンズ画像／光のミラー転換前にまだ実施されていない場合にレンズ画像を中継する。
【００４０】
この実施形態では、画像が中継される第１のフィルム「ゲート」は、このフィルムゲートの典型的な位置に対して位置決めされたオフセットである。一実施形態では、オフセットは、フィルムゲートの典型的な位置に対して約９０度、すなわち、垂直である。従って、ミラー又は他のミラーリング要素は、事前設定した期間中に取り込んだレンズ画像を第２のゲートに中継する。この第２の取り込みゲートはまた、典型的なフィルムゲート位置に対してオフセットすることができ、例えば、典型的な従来技術フィルムゲート位置に対して垂直とすることができる。しかし、第２の取り込みゲートが第１のオフセットゲートの真反対側に位置決めされることは、別の実施形態において可能である。
【００４１】
上述の実施形態は、好ましくはミラー又は他の画像転換要素が、完全レンズ画像を一方のゲート、次に動画フィルムの露出のために他方に、又は他の画像手段（例えば、電子取り込みのための電荷結合装置（ＣＣＤ）、又は他の電子デジタル要素を含む）に供給することを可能にする。動画フィルムを用いる実施形態では、レンズ画像の全て又は一部分（例えば、ビーム分割がミラー又は他の要素によって完全画像転換の代わりに採用される場合）は、直接又は密接に接触した状態で互いに平行に位置決めされ、選択的に設けられた２つのフィルムゲートに中継される。これは、セルロイド又は他のエマルジョン被覆媒体の単一ストリップの２つの主要な表面上へのエマルジョンの同時又は交互露出のために単一又は修正二重ゲート装置を通って進むように両面エマルジョンを備えることができる動画フィルム又はセルロイドの単一ストリップを可能にする。
【００４２】
加えて、選択的画像ダイバータの下流に位置決めされて、ＣＣＤは、元のレンズ画像の全てを断続的に又は同様に元のレンズ画像の一部分を断続的に又は連続的に受け取り、カメラ及び本発明によって記録するフィルム又は他の媒体のために取り込まれている画像のビデオ補助視聴又は関連の類似のモニタ（電子）視聴を可能にすることができる。更に、このようなレンズ画像の電子記録は、取り込み媒体の１つが、他よりも取り込み中に選択可能に遅いフレーム率でキーフレームデータを提供することを可能にするオプションを含むフィルム取り込み画像に関連する付加的デジタル画像用途に画像情報を提供することができ、その画像データは、最終画像データ割り当て及び管理の他の態様に情報を提供することができる。
【００４３】
セルロイドフィルムを用いる修正手法を本明細書の教示によって採用することができる。例えば、従来のフィルムの２つのストリップは、選択的に接合又は位置決めすることができる。セルロイドストリップは、不透明層又はピースセルロイド又は他の材料によって薄くすることができ、かつ分けることができる。これは、カラーネガフィルムに必要な材料の量及び重量を最小にし、最大数の取り込み及び３５ｍｍのような選択ゲージサイズのフィルムフレームを低減する。
【００４４】
上述のようにミラー転換を含む一実施形態の利点は、修正セルロイドの単一ストリップが、オフセットフィルムゲートを採用することによって全体の画像情報の２倍多く取り込み、セルロイドの両側が単一レンズを通して取り込まれた映像（光）から露出することを可能にすることができる点である。
【００４５】
別の利点は、互いに平行又は反対側に位置決めすることができる２つのゲートを含む実施形態では、取り込みレンズ画像が、「ゲート」の各々又は異なるエマルジョンを有するセルロイドのそれぞれの側面に対して、非修正レンズ画像を記録するためなどで選択的に中継することができる点である。代替的に、レンズ画像は、取り込みレンズ画像を複数回中継するために様々な焦点優先度又は他のカメラ設定変化を提供する付加的光学器械のように選択的２次効果又は修正を受けることができる。
【００４６】
一実施形態では、取り込みレンズは、例えば、カメラ平面焦点選択から５フィートの選択焦点距離に位置決めされ、好ましくは「短焦点」映像としてフィルム（又は他の記録手段）上に記録するためのカメラハウジング内の焦点光学ユニットに期間中に中継される映像（例えば、画像）を中継することができる。その後、ミラー又は他の中継装置は、レンズ画像を異なる焦点光学設定に中継して、レンズ画像を中継するその期間中に「無限」のような異なる焦点優先度のために光学的変化を受けることを可能にすることができる。代替的に、同じ光学器械は、選択的に別の設定にリセットされる点で用いることができる。これは、好ましくは背景焦点、又は前景透明度の代わりに背景透明度を可能にする。従って、このような構成では、セルロイドの単一ストリップは、フィルムの一方側にカメラゲートから「５フィート」に集束させたフィルムの１２枚の３５ｍｍフレームを記録することができるが、フィルム（映像）の１２枚のフレームは、無限焦点優先度で設定されたセルロイドの他方の乳化側面に記録される。勿論、毎秒２４枚のフレーム、毎秒１２枚、又は実際にあらゆる他の数の映像を本方法でエマルジョンを有する媒体の両側に記録することができる。
【００４７】
更に、画像が好ましくは水平に記録されると、選択エマルジョン幅（及びこうして取り込まれた各映像に関連する全体のエマルジョン区域）は、ストックの両側で同じである必要はなく、可変的に広いフィルムゲート及び異なる光学構成もこのオプションを可能にすることができる。更に、一方のフィルムゲートと他方によって記録された画像との間のフレーム率も同一である必要はなく、選択的に表示するための最終画像に対してフィルムストックのストリップのそれぞれの側面に取り込んだ画像バージョンの物体に依存する。
【００４８】
多重焦点バージョンの例は、３次元効果又は単に被写界深度効果の強化のような特別な映写効果に用いることができる。代替的に、両面フィルム（セルロイド）は、単にフィルム取り込み処理の材料効率を向上するために利用することができるであろう。従って、例えば、１フィートだけフィルムストックの量を例えば取り込まれた画像情報の同じ量に対して半分だけ低減することができる。この結果の１つの利点である例は、写真撮影に必要な全体の媒体の重量減少であるが、それは、効率の向上の多くの可能な利点のうちの１つの例に過ぎない。同じレンズ画像の様々な中継中の他の変化は、本発明の手段及びオプションによって提供された選択的な他の撮影後効果及び適用に対して、映像がフィルム又は他の取り込み手段に露出される期間、又は光が通過される量、又は（虹彩又はｆ−ストップ設定値）変化などを含む付加的効果が様々な露出設定のような映像に組み付けされることを可能にすることができる。
【００４９】
他の構成及び／又は実施形態は、オフセット複数ゲート実施形態が、両面エマルジョンセルロイドを含む上述の実施形態とは対照的に、典型的な動画フィルムの１つの表面のみを露出する２つのフィルムゲートとして提供されることを可能にすることができる。このような構成では、２つのゲートは、例えば、フィルムの１つのフレームおきにのみ記録するセルロイドの各ゲートの単一ストリップ上に同じレンズ画像の変更バージョン（焦点の異なるような）を記録することができる。撮影後において、デジタル又は他の手段は、エマルジョンに記録される前に、同じレンズ画像のフィルム又は他の媒体上の様々な記録と、選択的に受けた様々な２次適用との間で自動的に描写する。例えば、様々な焦点優先度は、フィルムの単一ストリプを可能にして、本明細書の教示に適用できかつ独特である異なる撮影後オプションを可能にする媒体を提供することができる異なる設定焦点光学器械によって提供することができる。
【００５０】
片面又は両面乳化セルロイドの１つ又はそれよりも多くの表面上に選択的に単一取り込みレンズ画像の同じか又は変更バージョンを選択的に取り込む機能は、典型的な従来技術の動画カメラ及びシステムを用いる他の方法では不可能な記録効率を向上し、付加的撮影後及び／又は特殊効果オプションをもたらす独特のオプションを提供する。
【００５１】
更に、レンズ画像を方向転換するためのミラー及び／又はビームスプリッタの使用は、フィルムエマルジョン記録、又は「ＣＩＮＥ  ＡＬＴＡ」、及び他の高解像度デジタルシネマシステムによるなどの映像のデジタル開始に公知のデジタルＣＣＤなどのようなオプションを含む電子記録のための単一レンズ画像の異なるバージョンを提供する。このようなバージョンを取り込むために連携して作業する異なる媒体は、本発明の範囲内で可能な構成の別の提供オプション及び範囲である。従って、同じレンズ画像の異なる露出又は焦点バージョンは、同時に記録されるか又は時間と共に選択的に交替される。（両面エマルジョンのような）特別に調製されたセルロイドの単一ストリップの片側又は両側に映像を記録するオプションは、本明細書に説明するように、選択的レンズ画像転換及び二重フィルムゲートによって更に提供される。
【００５２】
典型的な従来技術の投影は、レンズ画像のエマルジョン記録を入手するのに必要でない場合がある。例えば、不透明な保護装置（一方側の露出が他方のエマルジョン又は記録に影響を与えないことを保証する）のような別の層によって選択的に分けられたより薄い（例えば、動画フィルムの通常厚みの半分の）半分又は側面に容易に「分割」又は分けられるように製造されたセルロイドの単一ストリップは、従来３５ｍｍ撮影で毎秒通常２４フレームを有するそれ以上のセルロイドを利用しない単一レンズ画像の２つのセルロイド記録を提供することができる。
【００５３】
好ましくは、エマルジョンは、撮影後及び次の作業のために走査され、デジタル化される。より薄い、恐らくは投影可能でないストリップ（又は、接合されて従来のものではなく２つの側面上に選択的にエマルジョンを有するより従来幅のストックを形成するより薄いストリップ）上でのフィルム開始は、決してエマルジョン内に取り込まれた画像の一体性を阻害しない。従って、デジタル中間ネガ手法がフィルムに計画される場合、例えば、本明細書の両面フィルムエマルジョン構成におけるような非定型的な薄い半分上での開始は可能であり、カメラネガは、（最終投影がデジタルでない場合）典型的なリリースプリントストックのようなより従来型かつ投影可能な（例えば）フィルムプリントセルロイド上にカメラネガのデジタルバージョンの次の印刷からくるデジタルのための記録及び「投影可能」フィルムバージョンを単に提供する。
【００５４】
更に別の特徴は、例えば、従来の映画フィルムカメラで作動可能である「マガジン」のようなフィルムカメラに公知のフィルム格納ユニットを含む。そのそれぞれの表面の両方（例えば、前と後）の光感受性材料を特徴として有する及び／又は組み込む上記特定された両面フィルム又はセルロイドは、従来のフィルムカメラにおける使用を可能にする特殊マガジンに構成することができる。
【００５５】
「ＰＡＮＡ  ＶＩＳＩＯＮ」カメラでは、例えば、「使い捨て」又は選択的に再利用可能マガジンを提供することができるが、これは、恒久的又は再ロード可能マガジン適用を排除しない。再利用可能であるがユーザ再ロード可能でない構成において、例えば、３５ｍｍフィルムの１、０００フィートは、公知の「連続ループ」シナリオのマガジンハウジング内に構成することができる。勿論、当業者は、あらゆる長さのフィルム及び／又はゲージサイズが適用可能であることを認識するであろう。この再利用可能又は再ロード可能マガジンは、ユーザによって逆さにされた時、カセットに収容された長さを通過した状態で初めに位置決めされたテープを有する典型的な従来技術のオーディオカセットに類似し、全てのテープがマガジンヘッドの上を走っている。
【００５６】
「再生」の代わりに、本明細書に説明したマガジンは、選択可能に１つのゲートフィルムカメラ構成において、同じフィルムゲートにストックを戻すために、同じセルロイド又は他のエマルジョン又は光感受性記憶ストリップ又は媒体上への「再記録」を可能にする。しかし、「再記録」前に手動又は自動的のいずれかで、フィルムは、１８０度向きを変えて（又は、両側が露出されるまで他の方法で非露出エマルジョンをゲートに維持するように操作されて）、単に光感受性「フィルム」又は他の材料の裏面がマガジン内に収容された非露出媒体の全長を通って再生されることを可能にすることができる。この構成は、収容フィルムの全長を２倍走ることと、このような媒体によって記憶することができる潜在的な又は他の選択映像を記録することができることの２つの等しく又は選択的に等しい光感受性「側面」を有する特殊な二重乳化媒体の裏面を露出することを可能にする。
【００５７】
手動構成では、回転ドアのようなマガジン上の区画は、フィルムが停止し又は他の方法でその完全使用長に達した後にユーザによって開くことができる。フィルムストック上の端部又は他の場所に選択的に取り付けられたピン又は他の装置は、選択的に「ひっくり返す」ことができ、他の安定化装置のローラは、停止、中断、減速、又は他の望ましくない問題発生もなく、下げられて反転したフィルム（又は媒体）の一体性を保持かつ維持し、再びフィルムの全長の適正な走りに干渉する位置調整を実施したばかりの基本的「ループ」又はひっくり返りを回避することができる。このループ構成において再び全長を走るために、収容されたマガジンのフィルム及び構成のこのような「ひっくり返り」は、様々な公知の機械的方法で同様に選択的に自動的に実施することができる。
【００５８】
好ましくは、マガジンは、「ＰＡＮＡ  ＶＩＳＩＯＮ」カメラに設けられたようなマガジンから突き出るフィルムループが容易な装填のために提供される点において、典型的な従来技術マガジンと異ならない。使い捨て構成では、全マガジンは、処理するために送ることができ、二面フィルムは、通常の公知のセルロイドの厚みの約半分の露出されたフィルムの２つの処理されたストリップとして処理され、ユーザに提供された後に分けられ又は分割される。代替的に、分割後に処理された二面フィルム又は材料は、直ちにデジタル化されて、プロセッサのプラントを超えてセルロイドを処理する必要性を回避する。別の代替形態では、露出された動画フィルムの「半分の」厚みのストリップは、通常のフィルムストック厚みのそれに類似のフィルムストック製品の顧客に映像を戻すために、セルロイド又は材料の別の部分に合わせることができる。この代替形態では、媒体は、別の透明フィルム、セルロイド、又は材料と組み合わされ、それによって元のカメラネガを用いる。
【００５９】
更に別の代替形態では、媒体は、直ちに通常厚みのフィルムストック上に「複製」又は複写することができ、それによって通常よりも薄い開始媒体又はフィルムの潜在的問題のために処理した直後に典型的な従来技術フィルムストック上へのカメラネガ情報を可能にする。
【００６０】
従って、上述のように、修正マガジンを用いる典型的な従来技術フィルムカメラは、典型的な従来技術媒体のような場合と同じ重量及び費用を用いて記録媒体の２倍という条件に対してフィルムストックの典型的な長さを可能にすることができる。
【００６１】
ここで、本発明を同じ参照番号が同じ要素を表す図を参照して以下に更に説明する。
【００６２】
図１は、例示的実施形態の例示的構成を示し、一般的に「上部」配置のフィルムマガジン格納容器（ＰＡＮＡＦＬＥＸフィルムカメラシステムに類似）は、修正フィルムカメラスレッド及び多重ゲートフィルム搬送機構と一体になっている。レンズ画像１０２がレンズ１０４を通ってカメラに入ると、画像転換又はビーム分割モジュール１０６は、レンズ画像の全体の光の全比率又は選択比率をフィルムゲート１１４及び１１６を含む少なくとも２つの取り込みモジュールに提供する。フィルムストック１０８は、カメラ上部の垂直マガジン位置からこの構成のカメラに入るが、このマガジン位置は、基本的なものでなく、実際に、水平構成は、フィルム再配置モジュールの必要性を回避すると考えられる。しかし、システムのカメラ態様の上部の垂直マガジン構成では、フィルムストック１０８は、選択的に従来の写真フィルム媒体（典型的な１６ｍｍ及び３５ｍｍフィルムストックなど）と同じ厚み及び寸法の単一フィルム格納容器又は「ストリップ」の両対側に発生する２つのフィルムゲート１１４及び１１６にストック１０８を提供するために、フィルム管理及び再配置モジュール（フィルム搬送ローラなど）１１０によって選択的に９０度向きを変えられるか又は再配置される。
【００６３】
ミラー１１２及び１２２のような画像転換手段は、記録するためのレンズ画像のそれぞれの態様をゲート１１４、１１６内のストック１０８上に送る。ここで水平に提供されるフィルムは、例えば、３５ｍｍ又は１６ｍｍの幅によって限定される垂直に提供された動画フィルムストックなどと異なり、画像を可変幅で記録することができる。ゲート１１４、１１６は、好ましくは選択的画像寸法変更手段を有し、それによってフィルムストック１０８の利用可能なエマルジョン記録区域高さに対して、２．３５から１（１つの可能なスクリーン比率オプションでは）になる選択的画像幅を可能にする。
【００６４】
フィルムストック１２０は、フィルム再配置モジュール１１８（フィルム搬送ローラ又は類似の機構など）が、選択的に従来のフィルムストックマガジンへの適切な位置決め回転のためにフィルムストック１２０を選択的に９０°戻した後の（このシナリオのカメラの上部の）マガジン格納容器への露出媒体の戻りを表している。
【００６５】
フィルムストック１０８を代替的に設け、フィルムストック１２０を逆の順序で戻すことができる。この代替形態では、従って、任意的な構成におけるように、フィルムストック１０８が、フィルムをゲート１１４、１１６に提供し、フィルムストック１２０が、露出されたストックのマガジン格納容器への戻りである。
【００６６】
更に、本発明の両面ストック１０８構成は、更に別の代替形態において、必ずしもではないが潜在的に別々の及び異なるマガジン格納容器において、２つの別々の異なるものによってフィルムの２つの異なるストリップを露出するためにそれぞれ位置決めされた二重ゲート１１４、１１６によって置換することができる。このような構成では、画像転換手段１１２及び１２２は、例えば、キーフレームが生成されるか否か、又は取り込まれているレンズ画像の多焦点バージョンがあるか否かなどを含む美的目標選択肢に依存する同じか又は異なるフレーム率でロールが個々にそれぞれのゲート１１４、１１６内へ搬送される時に、フィルムの別々のロールを露出するように再配置されたゲート１１４、１１６にレンズ画像１０２の態様を提供するように排除又は修正されることになる。
【００６７】
フィルムストック１０８、１２０は、好ましくはフィルムエマルジョン内に潜像記憶を含む記録可能媒体の単一ストリップとして構成され、エマルジョンは、両面に提供され、実際に単一エマルジョン担持セルロイド又は他のストリップ（又は他の形状）格納容器とすることができる。ストック１０８、１２０はまた、任意的に、互いに反対側のエマルジョン層の間に必ずしも付加的不透明性を提供できない場合がある不透明な又は他の分割器によって選択的に分けられた２つのより薄いストリップの組み合わされたものとすることができる。
【００６８】
更に、図に示すように、このような装置が典型的なビデオ補助の役割においても機能しない場合に、ビデオ補助及び潜在的に他のデジタル取り込み装置を含む電子取り込み器を、他の取り込み装置に方向転換されているレンズ画像に対して連続的又は選択的交替又は半交替的順番で、同様にレンズ画像の態様として設けることができる。
【００６９】
更に、フィルムカメラゲート１１４、１１６は、他の真反対側に発生する必要はない。選択的に、１つのゲート１１４又は１１６は、水平又は垂直ゲート構成を可能にする他のゲートからオフセットされた距離で中継レンズ画像を受けることができる。代替的に、「ＰＡＮＡ  ＶＩＳＩＯＮ」プルダウン、垂直ストックカメラ構成におけるような従来供給されたフィルム構成において、ゲート１１４及び／又は１１６は、ストック１０８に垂直に係合し、従来記録された垂直取り込みとし中継された（例えば、転換された）元のレンズ画像を選択的に記録する。代替的に、光学的かつ選択的に向きを変えた画像は、ストック１０８の一方側に１つ又はそれよりも多くのゲート１１４、１１６を含む水平記録のために、より大きな画像を提供することができる。更に別の代替形態では、垂直に提供されたストック１０８（又は水平に記録され、選択的に可変画像サイズフィルムゲート１１４、１１６のために広く取り込まれた）に記録するために、光学的に向きを変えたこのようなものは、極端な潜在的解像度及び全体の情報の画像がフィルムストック内に水平に記録されることを可能にし（従来の動画画像取り込みに対して９０度オフセット）、選択的にそれ自体所望通り１秒間当たり多くのフレームが取り込まれることを可能にするが、毎秒２４フレームよりも少なく、かつ僅か毎秒１つ又は更に少ない重要なオプションを提供し、選択的に同じレンズ画像に由来する２４ｆｐｓ電子画像取り込みのような２次画像取り込み手段と連携してキーフレーム解像度及び他の画像情報を提供する。その点で、一方の画像取り込み手法は、典型的な従来技術フィルム取り込みに勝って品質が改良された最終映像に向けて他方に連携して情報を提供することができる。
【００７０】
例えばデジタル処理により（あらゆる選択取り込み及び画像記憶オプションによって限定されないが）、例えば毎秒２４フレームで取り込まれた画像は、これらが、選択的により低速で撮影された（又は、例えば潜在的に別の電子取り込み手段のような他の方法で取り込まれた）更に豊富なデータ間で変化する時に、画像態様の位置の周りに関連情報を提供することができる。例えば、毎秒２４枚の最終画像のような最終画像内のこのようなキーフレーム情報割り当ては、画像間の既存のデジタルモーフィング手段のオプションと潜在的に遥かに多い豊富なデータの再割り当てにおいて最終画像を情報伝達するように１つの態様における他の画像取り込みデータ記録を含み、電子取り込みに対してフィルムの色応答のような他の選択的画像開始媒体態様と例えば利用可能な記録キーフレームの間のカメラレンズを通して見た通りの位置に移されたその態様のようなキーフレーム情報を含むデジタル推論において少なくとも改良されるか又は必要とされる可能性がある。これは、高解像度の作成を含み、最終画像に与えるためのエマルジョン区域に基づいて例えば１５ｋ、２０ｋ、又はそれより高いものを提供することができるフィルム画像を水平に記録した選択的に同じレンズ画像の態様を受ける別々の選択的により少ないデータ集約型の取り込み装置によって提供された１秒間当たりより頻度の高い取り込みによって選択的に情報提供されたカメラ構成のオプションを含む。選択的に、電子ビデオ補助取り込み装置でも、いくつかの構成においてこのような情報を提供することができ、既存の及び従来のフィルムカメラレンズ画像中継手段は、このような取り込み装置に対して「オフライン」及び「オンライン」目的の両方に役立つことを可能にする。
【００７１】
図２は、両面エマルジョンフィルムストックの部分的に誇張した構成を示している。図２に示す実施例は、光化学処理又は選択的に既に処理されたストック内の画像のデジタル化であるということでそのストックが別々使用のために「分割」された時に選択的に選択フィルムストックゲージサイズの普通厚みになるように「合わせた」より薄いストックの２つのストリップ内のストックに特異的である。更に、両面ストック革新の別の構成は、エマルジョンが両側にそれぞれ被覆された単一ユニットとして選択的にストックを維持することになり、このような構成では、光化学処理システム態様及びフィルムデジタル化又は他の走査システム態様は、エマルジョン格納ストリップの両側に別々の画像の存在を管理するように選択的に修正されることになる。このような構成では、デジタル化手段は、画像がストリップの両側２０４及び２０８に維持されているように、反射的走査手法であることが必要なこともあり、通りぬける投影光は、恐らく単一の識別することができる画像を提供することはない。更に、両面乳化ストックのこのような１つずつ維持されたストリップ構成では、処理されたエマルジョン間に選択的に不透明分割層２０６を選択的に含めて、フィルムストックストリップの反対側への画像のブリードスルーなしに反射的画像走査を可能にすることができる。
【００７２】
フィルムストック２０２の誇張した断面は、ストックの露出後にフィルムストックの管理中の選択段階で図２に搬送され、フィルム影響モジュール２１０、２１２のオプションは、フィルムストック２０６内に可能な不透明分割層などを組み込む必要がある可能性がある選択的な他の態様と共に、従来のフィルムストック幅を選択的に一緒に含む以前に合わせたストックのストリップを分割する。
【００７３】
次に、個別の分けられたフィルムストックストリップ２１４及び２１６は、フィルム搬送ローラ又は他の手段２１８及び２２０のようなオプションを含む例えば別のフィルム搬送態様によるシステムにより別の用途に搬送される。従って、これらの別々の従来よりも薄いストックのストリップは、ここで２つのエマルジョンが１つのストリップ又は格納態様にわたって維持される場合に、シナリオと異なる処理ストックを通って伝送される光を含むデジタル化又は他の画像移送手段に利用可能なこともある。
【００７４】
更に重要なことは、本発明の別々の側面エマルジョン内に他方に対して一方のエマルジョンの選択的に異なる画像サイズを記録する本発明の任意的な構成及び万能性である。例えば、カメラレンズによって取り込まれた前景アクションに関するキーフレームが、仮に他のレンズ情報態様よりも主要で創作的により重要である場合、このキーフレームは、同じか又は異なる画像取り込みフレーム率で例えば反対側に潜在的に取り込まれたより小さな（従って、より低い画像解像度及び品質）フィルム取り込みよりも選択的に例えば更に多くのエマルジョンを占めることができる。レンズ画像情報のこれらの取り込みに対してエマルジョンの等しい長さを維持するために、選択的にキーフレーム取り込みは、例えば、取り込み中にストリップの反対側のエマルジョンに中継されるレンズ画像取り込みの例えば焦点の異なるか又は光学的に影響を受けた態様の幅及びエマルジョン長さの３倍を占めることができる。
【００７５】
図３は、図１に示すカメラの修正された構成を示し、光学態様３１６及び３３４の適用は、これらに中継された元のレンズ画像の態様の別々の態様がストック３３８内で記録するためのこれらのそれぞれのフィルムゲート３２２及び３２４に更に中継されることを可能にする。多次元画像取り込み及び映写に関する現在特許出願中の米国特許出願出願番号第１１／４４７、４０６号に記載のように、本明細書には、二重乳化フィルムストックの両側に選択的に集束させるか又は他の方法で光学的に影響を受けたレンズ画像のバージョンのフィルム内に個別の取り込みが示されている（及び、電子的なもののような他の取り込み装置で確実にフィルム取り込み態様を置換することができることを説明することも重要である）。更に、異なる寸法のこれらを含む異なる全体サイズの画像の上述の任意的な記録は、選択的に異なるフレーム率で両側に記録するオプションがそうであるように維持され、これは、本発明の出願意図の美的目的に依存し、これには、多次元画像を含むいくつかの可能性があり、フィルム取り込み画像の解像度の増大は、従来取り込んだ３５ｍｍ、１６ｍｍ、又は他のゲージサイズ取り込みよりもエマルジョン上の選択的に大きなサイズのエマルジョン内へのキーフレーム取り込みを選択的に伴っている。
【００７６】
ここでもまた、露出のための２つの個別のロールから単一レンズ画像（又は本発明に関連する選択目的の同じ場面を取り込むように連携して作業する２つのレンズの画像）の態様に搬送される２つのストリップの事例では、（一例示的事例で）利用可能なエマルジョンがレンズ画像が中継されて取り込まれたあたりの時間に対して全体としてフィルムストリップ上のこれらの配置に対して画像取り込みの一貫性を維持するように少なくとも１つの側面上で浪費されない限り、異なるフレーム率露出及び搬送のオプションは、より多用途である。米国特許出願出願番号第１１／４０８、３８９号に説明されているように、磁気ストライプ又は視覚符号化手段はまた、特に、エマルジョン内の各個別画像取り込みの選択的自動参照及び相互参照のために後で分けられ、別々に管理され、同じ元のカメラレンズを通して選択的に作り出している少なくとも関連電子画像取り込みとの関連で各フィルム画像取り込みに関して更に選択的であるフィルムの場合には、画像取り込み参照を提供することができる。
【００７７】
図４Ａ−４Ｂ及び５Ａ−５Ｃは、単一ゲート及び多重ゲート、並びに単一乳化及び二重乳化（セルロイド又は他の格納ストリップの両側に画像を記憶することができる２面ストック）に対して、かつ美的画像物体並びに撮影後画像操作及び管理オプションを含む選択された製作目的のための同じカメラを通して選択的に電子画像取り込み手段を含む本発明のカメラの一部の態様の選択された可能な構成４０２、４０４、４０６、４０８、４１０、５０２、５０４、及び５０６をそれぞれ示している。
【００７８】
図６は、エマルジョン区域を記録し、（解像度のような態様を含む）画像品質を向上させる可能性がある全体画像を増強させるための選択的凸面構成を示す左側側面図を示している。ここで、可能な修正フィルムカメラ取り込み及び搬送ゲートの両方と可能な修正投影ユニットフィルムゲート、及び同じく具体的にフィルムストックのこのようなユニットのターゲット走査区域に関連する可能な修正テレシネ又はデータシネ又は他の画像走査手段は、この例においては動画フィルムであるがこのような媒体に限定されない走査に関連する選択的に固定された走査構成要素に対して搬送され、「デジタル走査」又はより広義には本明細書の「視覚的走査」のより広い適用可能性を提供する。
【００７９】
可変又は「拡大可能」フィルムストックの好ましい実施例では、フィルムカメラ構成は、投影及び画像走査（又はデジタル化）を含む列挙した他の修正システム態様に対して手段、目的、及び利点に影響を与えるフィルムの適用に先行せずに利用されることになる。
【００８０】
図６を続いて参照すると、カメラゲート構成６１０は、断続的搬送が選択的に停止した状態で、エマルジョン担持選択的拡大可能ストリップ又はフィルム格納容器をフィルム拡大影響装置６０６が影響する位置に供給する（又は他のフィルム搬送構成要素を通じてそれを受ける）。ここで、選択的に空気又は他の圧縮ガスの好ましい使用は、選択的に強い影響力が例えば典型的な３５ｍｍフィルムフレームの表面積の形状及びサイズを変更することを可能にする（フィルムストック及びフレームのような従来の大きさ又は形状の媒体の影響に決して限定されないが）。代替の手段は、例えば、更にフレーム又は拡大可能セルロイド、プラスチック、又は他の媒体を選択的に拡大周囲構成要素６０８内に物理的に「押し込み」又は移動させるように、選択的に望ましい拡大形状及びサイズの文字通りの物体を含むことができ、球状又は他の３次元形状の利点をエマルジョン層に提供する。選択的に、エマルジョン自体は、非拡大媒体上により緻密な層の状態で本来提供することができ、又はフィルムストックの作成中にエマルジョンを組み込む媒体の拡大中のストック上に選択的に被覆することができる。
【００８１】
拡大周囲構成要素６０８はまた、圧縮空気構成において他の光透過形態（ガラス又はプラスチック又はレンズに関連する材料及びこのような光透過撮像製品のような）の透過性を代替的に表している。この形態は、このような３次元フィルムストック又は他の媒体の最大拡大を制限し、露出中の画像に対する一貫したサイズ及び形状を例えばカメラレンズ画像に選択的に維持することになる。同様に、このような手段は、上述のフィルム処理段階及び選択的フィルム走査又はデジタル化段階を選択的に含むシステムのその後の態様中に類似の一貫した画像管理及び再生産手段を提供することができる。
【００８２】
光６０４は、例えば、（露出中に）より大きな選択的球状エマルジョン層から殆どの画像品質利点を得るように独特に提供されて位置決めされた光学器械のために選択的にレンズ画像を提供する。結果としてフィルムストック６０２から生じる画像の投影中に、光６０４は、これから生じる露出された拡大可能ストック又は画像を通って伝送される。
【００８３】
更に、本明細書に説明したストック及びカメラ構成のために提供される拡大フィルムフレームは、必ずしも２４ｆｐｓのような従来の媒体記録フレーム率で露出されるわけではない。更に、キーフレームが１秒間当たりより少ない数の画像間でモーフィングされるか又は（電子記録手段に対して毎秒２４画像を提供するデジタル取り込みユニットのような）より高いフレーム率でレンズ画像の２次画像取り込みによって更に情報提供される場合のカメラでは、拡大可能フィルムエマルジョン取り込みは、僅か毎秒１枚、又は潜在的には更に遅く（又は僅かに早い、その他）露出される可能性がある。そこには、増大したフィルムエマルジョン区域から求められる属性、つまりフィルムの色及び控え目な画像取り込み印象及び審美性が提供され、同様にこのような属性の中でもとりわけ、潜在的に非常に高い全体画像情報を含む（及び従って、選択可能タイプの断続的拡大影響手段を有するこのようなカメラと一体になった時に拡大性を有することができるフレームを含むこのようなキーフレームからデジタル画像の解像度及びデータサイズを選択的にもたらす）。
【００８４】
更に、凹面又は凸面、又はフィルムエマルジョンのようなものを含む修正記録表面を提供する３次元を用いるように変更された他の方法に関わらず、本発明は、この態様において選択的に美的及び画像品質問題に単独又は連携して対処するシステムを提供する。フィルムエマルジョンの表面積の増大は、最初に被覆される時に例えば特殊なストックの各選択フレームの拡大部分において典型的な全体エマルジョン密度を提供するように行われる必要がある。「美的」問題は、例えば、完全に選択された時にエマルジョンを有するフィルムストックのような記憶媒体の球状又は他の方法で「拡大した」形状及びサイズに類似して、寸法が正確又は美的に関連することができ、本発明のこの可変記録媒体（拡大可能又は「弾性」フィルムストックのような）態様のために画像取り込み中に潜在的に可変、拡大形状とすることができるスクリーン上の次の表示のための３次元変更表面内の２次元記憶表面（写真エマルジョンを含むもののような）に典型的に提供された露出画像のオプションを含む。
【００８５】
すなわち、本明細書に説明するように、フィルムゲージサイズ又はフィルム取り込みの量を変更することなく記録媒体の増強が提供される。
【００８６】
本発明をその特定的な実施形態に関して説明したが、多くの他の変形及び修正並びに他の用途が当業者には明らかになるであろう。従って、本発明は、本明細書の特定の開示内容によって限定されないことが好ましい。
【図面の簡単な説明】
【００８７】
【図１】例示的実施形態のカメラを含む例示的構成を示す図である。
【図２】両面エマルジョンフィルムストックの部分的に誇張した構成を示す図である。
【図３】図１に示すカメラの修正された構成を示す図である。
【図４Ａ】本発明のカメラ態様の一部の選択された可能な構成の１つを示す図である。
【図４Ｂ】本発明のカメラ態様の一部の選択された可能な構成の１つを示す図である。
【図４Ｃ】本発明のカメラ態様の一部の選択された可能な構成の１つを示す図である。
【図４Ｄ】本発明のカメラ態様の一部の選択された可能な構成の１つを示す図である。
【図４Ｅ】本発明のカメラ態様の一部の選択された可能な構成の１つを示す図である。
【図５Ａ】本発明のカメラ態様の一部の選択された可能な構成の１つを示す図である。
【図５Ｂ】本発明のカメラ態様の一部の選択された可能な構成の１つを示す図である。
【図５Ｃ】本発明のカメラ態様の一部の選択された可能な構成の１つを示す図である。
【図６】全体の画像記録エマルジョン区域を増強し、画像品質を潜在的に増大させるための選択的凸面構成を示す左側側面図である。
【符号の説明】
【００８８】
１０２  レンズ画像
１０４  レンズ
１０６  画像転換又はビーム分割モジュール
１０８  フィルムストック
１１４、１１６  フィルムゲート
【図１】
2008547321.tif 000003
【図２】
2008547321.tif 000004
【図３】
2008547321.tif 000005
【図４Ａ】
2008547321.tif 000006
【図４Ｂ】
2008547321.tif 000007
【図４Ｃ】
2008547321.tif 000008
【図４Ｄ】
2008547321.tif 000009
【図４Ｅ】
2008547321.tif 000010
【図５Ａ】
2008547321.tif 000011
【図５Ｂ】
2008547321.tif 000012
【図５Ｃ】
2008547321.tif 000013
【図６】
2008547321.tif 000014